(57)【特許請求の範囲】
【請求項１】
支持脚基礎台上に立設された支持脚によって容器本体を支持した容器の支持構造改造方法であって、
既設の支持脚基礎台間に脚間部スカート基礎台を設置し、
該脚間部スカート基礎台上に脚間部スカートブロックを立設すると共に、該脚間部スカートブロックの上部を容器本体に固着させ、
既設の支持脚の内側における容器本体に脚部スカート上部ブロックの上部を固着させると共に、該脚部スカート上部ブロックの両端部を隣接する脚間部スカートブロックの端部に連結固着させた後、
既設の支持脚及び支持脚基礎台を撤去し、
該支持脚基礎台を撤去した箇所に、脚部スカート基礎台を脚間部スカート基礎台に連結するよう設置して環状のスカート基礎台を形成し、
前記脚部スカート基礎台上に脚部スカート下部ブロックを立設すると共に、該脚部スカート下部ブロックの上部を脚部スカート上部ブロックの下部に連結固着させ、且つ脚部スカート下部ブロックの両端部を隣接する脚間部スカートブロックの端部に連結固着させて筒状のスカートを形成し、
前記スカート基礎台上に立設されたスカートによって容器本体を支持するよう改造を行うことを特徴とする容器の支持構造改造方法。
【請求項２】
前記脚間部スカートブロックは、脚間部スカート基礎台上に固定される脚間部ベースプレートと、該脚間部ベースプレート上に立ち上がるよう固着され且つ円筒をその周方向へ複数分割した湾曲板状の脚間部スカート部材と、該脚間部スカート部材の内周面に周方向へ延びるよう固着された補強内枠部材とを備え、
前記脚部スカート上部ブロックは、円筒をその周方向へ複数分割して更にその軸線方向に分割した一方の側の湾曲板状の脚部スカート上部部材と、該脚部スカート上部部材の内周面に周方向へ延びるよう固着された補強内枠部材とを備え、
前記脚部スカート下部ブロックは、脚部スカート基礎台上に固定される脚部ベースプレートと、該脚部ベースプレート上に立ち上がるよう固着され且つ円筒をその周方向へ複数分割して更にその軸線方向に分割した他方の側の湾曲板状の脚部スカート下部部材と、該脚部スカート下部部材の内周面に周方向へ延びるよう固着された補強内枠部材とを備えた請求項１記載の容器の支持構造改造方法。
【発明の詳細な説明】
【技術分野】
【０００１】
本発明は、狭いスペースに設置されている容器の支持構造改造方法に関するものである。
【背景技術】
【０００２】
一般に、原子力発電設備等のプラントの場合、コンクリートの壁で囲まれた狭いスペースに、各種容器が設置されている。
【０００３】
これらの容器としては、支持脚基礎台上に立設された複数本（例えば、四本）の支持脚によって容器本体を支持したものが多く存在しているが、近年においては、地震発生時に想定される被害の見直しがなされ、耐震性能をより向上させるために、スカート基礎台上に立設されたスカートによって容器本体を支持するよう改造を行うことが提案されている。
【０００４】
尚、複数本の支持脚によって容器本体を支持した容器の一般的技術水準を示すものとしては、例えば、特許文献１や特許文献２がある。
【特許文献１】特開平１０−２７３１９６号公報
【特許文献２】特開２００３−１４８８０８号公報
【発明の開示】
【発明が解決しようとする課題】
【０００５】
ところで、容器を支持脚による支持からスカートによる支持へ改造する場合、従来においては、先ず、容器内に貯留された内容物を一旦排出し、容器の周囲に設置されている配管や機器等を一時撤去し、容器を吊り上げたり、移動させたりしながら、既設の支持脚を取り外し、続いて、スカートを容器の下部に取り付けて、元の位置に再度据え付け、この後、一時撤去した配管や機器等を復旧する作業を行うのが一般的である。
【０００６】
しかしながら、特に原子力発電設備等のプラントのように、コンクリートの壁で囲まれた狭いスペースに容器が設置されている場合、その周囲や天井部に配置されている多数の配管や機器等を一時撤去したり、コンクリートの壁を壊すことが困難だったりすることが多いため、従来工法を用いて容器の支持構造を改造することはできなかった。
【０００７】
又、従来工法では、多数の配管や機器等の干渉物の一時撤去・復旧、並びに吊り上げのための容器の補強に多大な費用と工期とが必要になるという欠点をも有していた。
【０００８】
本発明は、斯かる実情に鑑み、多数の配管や機器等の干渉物の一時撤去・復旧、並びに吊り上げのための容器の補強等を行うことなく、容器を支持脚による支持からスカートによる支持へ改造し得、費用削減と工期短縮とを図り得る容器の支持構造改造方法を提供しようとするものである。
【課題を解決するための手段】
【０００９】
本発明は、支持脚基礎台上に立設された支持脚によって容器本体を支持した容器の支持構造改造方法であって、
既設の支持脚基礎台間に脚間部スカート基礎台を設置し、
該脚間部スカート基礎台上に脚間部スカートブロックを立設すると共に、該脚間部スカートブロックの上部を容器本体に固着させ、
既設の支持脚の内側における容器本体に脚部スカート上部ブロックの上部を固着させると共に、該脚部スカート上部ブロックの両端部を隣接する脚間部スカートブロックの端部に連結固着させた後、
既設の支持脚及び支持脚基礎台を撤去し、
該支持脚基礎台を撤去した箇所に、脚部スカート基礎台を脚間部スカート基礎台に連結するよう設置して環状のスカート基礎台を形成し、
前記脚部スカート基礎台上に脚部スカート下部ブロックを立設すると共に、該脚部スカート下部ブロックの上部を脚部スカート上部ブロックの下部に連結固着させ、且つ脚部スカート下部ブロックの両端部を隣接する脚間部スカートブロックの端部に連結固着させて筒状のスカートを形成し、
前記スカート基礎台上に立設されたスカートによって容器本体を支持するよう改造を行うことを特徴とする容器の支持構造改造方法にかかるものである。
【００１０】
前記容器の支持構造改造方法においては、前記脚間部スカートブロックは、脚間部スカート基礎台上に固定される脚間部ベースプレートと、該脚間部ベースプレート上に立ち上がるよう固着され且つ円筒をその周方向へ複数分割した湾曲板状の脚間部スカート部材と、該脚間部スカート部材の内周面に周方向へ延びるよう固着された補強内枠部材とを備え、
前記脚部スカート上部ブロックは、円筒をその周方向へ複数分割して更にその軸線方向に分割した一方の側の湾曲板状の脚部スカート上部部材と、該脚部スカート上部部材の内周面に周方向へ延びるよう固着された補強内枠部材とを備え、
前記脚部スカート下部ブロックは、脚部スカート基礎台上に固定される脚部ベースプレートと、該脚部ベースプレート上に立ち上がるよう固着され且つ円筒をその周方向へ複数分割して更にその軸線方向に分割した他方の側の湾曲板状の脚部スカート下部部材と、該脚部スカート下部部材の内周面に周方向へ延びるよう固着された補強内枠部材とを備えることができる。
【００１１】
上記手段によれば、以下のような作用が得られる。
【００１２】
前述の如く、容器を支持脚による支持からスカートによる支持へ改造すると、原子力発電設備等のプラントのように、コンクリートの壁で囲まれた狭いスペースに容器が設置されている場合、その周囲や天井部に配置されている多数の配管や機器等を一時撤去したり、コンクリートの壁を壊すことが困難だったとしても、従来工法のように、容器内に貯留された内容物を一旦排出し、容器の周囲に設置されている配管や機器等を一時撤去しなくて済み、容器を吊り上げたり、移動させたりする必要も全くなくなる。
【発明の効果】
【００１３】
本発明の容器の支持構造改造方法によれば、多数の配管や機器等の干渉物の一時撤去・復旧、並びに吊り上げのための容器の補強等を行うことなく、容器を支持脚による支持からスカートによる支持へ改造し得、費用削減と工期短縮とを図り得るという優れた効果を奏し得る。
【発明を実施するための最良の形態】
【００１４】
以下、本発明の実施の形態を添付図面を参照して説明する。
【００１５】
図１〜図１５は本発明を実施する形態の一例であって、コンクリート等の支持脚基礎台１上に立設された支持脚２によって容器本体３を支持した容器４の支持構造を改造するものである。
【００１６】
先ず、第一の手順として、図１に示す如く、既設の支持脚基礎台１間に、コンクリート等を打設してなる脚間部スカート基礎台５を設置する。本図示例の場合、竪型円筒状の容器本体３の周方向四箇所に支持脚基礎台１及び支持脚２が設置された容器４を一例として挙げているため、該容器４の周方向四箇所に設置された支持脚基礎台１の間をつなぐように、脚間部スカート基礎台５の平面形状は、円弧状となっている。
【００１７】
続いて、第二の手順として、図２に示す如く、前記脚間部スカート基礎台５上に脚間部スカートブロック６を立設すると共に、該脚間部スカートブロック６の上部を容器本体３に溶接して固着させる。ここで、前記脚間部スカートブロック６は、図７〜図９に示す如く、前記脚間部スカート基礎台５（図２参照）上にアンカーボルト及びナット（図示せず）等により固定される脚間部ベースプレート７と、該脚間部ベースプレート７上に立ち上がるよう溶接して固着され且つ円筒をその周方向へ複数分割した湾曲板状の脚間部スカート部材８と、該脚間部スカート部材８の内周面上部に周方向へ延びるよう溶接して固着された上部補強内枠部材９と、前記脚間部スカート部材８の内周面下部に周方向へ延びるよう固着され且つ両端部が脚間部スカート部材８の両端より所要量だけ側方へ張り出す下部補強内枠部材１０と、前記脚間部スカート部材８の両端に上下方向へ延びるよう溶接して固着され且つ後述する脚部スカート上部ブロック１２及び脚部スカート下部ブロック１８を溶接して連結固着させるための当板１１とを備えてなる構成を有している。尚、前記脚間部ベースプレート７における両端部は脚間部スカート部材８の両端より所要量だけ側方へ張り出させるようにしてある。
【００１８】
次に、第三の手順として、図３に示す如く、既設の支持脚２の内側における容器本体３に脚部スカート上部ブロック１２の上部を溶接して固着させると共に、該脚部スカート上部ブロック１２の両端部を隣接する脚間部スカートブロック６の端部に溶接して連結固着させる。ここで、前記脚部スカート上部ブロック１２は、図１０〜図１２に示す如く、円筒をその周方向へ複数分割して更に上下（円筒の軸線方向）に分割した上側の湾曲板状の脚部スカート上部部材１３と、該脚部スカート上部部材１３の内周面に周方向へ延びるよう溶接して固着された上部補強内枠部材１４と、前記脚部スカート上部部材１３の下端に水平方向へ延びるよう溶接して固着され且つ後述する脚部スカート下部ブロック１８を溶接して連結固着させるための当板１５とを備えてなる構成を有している。尚、前記既設の支持脚２の内側における容器本体３に脚部スカート上部ブロック１２の上部を固着させると共に、該脚部スカート上部ブロック１２の両端部を隣接する脚間部スカートブロック６の端部に溶接して連結固着させることにより、容器本体３の底部に、前記脚間部スカート部材８及び脚部スカート上部部材１３からなる円筒と、前記上部補強内枠部材９及び上部補強内枠部材１４からなる補強用のリングとが形成され、後述するスカート１９（図６参照）の円筒度を確保することが可能となる。
【００１９】
この後、第四の手順として、図４に示す如く、既設の支持脚２及び支持脚基礎台１を撤去する。
【００２０】
更に、第五の手順として、図５に示す如く、前記支持脚基礎台１を撤去した箇所に、コンクリート等を打設してなる脚部スカート基礎台１６を脚間部スカート基礎台５に連結するよう設置して環状のスカート基礎台１７を形成する。
【００２１】
最後に、第六の手順として、図６に示す如く、前記脚部スカート基礎台１６上に脚部スカート下部ブロック１８を立設すると共に、該脚部スカート下部ブロック１８の上部を前記脚部スカート上部ブロック１２の下部に溶接して連結固着させ、且つ脚部スカート下部ブロック１８の両端部を隣接する脚間部スカートブロック６の端部に溶接して連結固着させ筒状のスカート１９を形成し、前記スカート基礎台１７上に立設されたスカート１９によって容器本体３を支持せしめ、改造を完了する。ここで、前記脚部スカート下部ブロック１８は、図１０〜図１２に示す如く、前記脚部スカート基礎台１６（図６参照）上にアンカーボルト及びナット（図示せず）等により固定される脚部ベースプレート２０と、該脚部ベースプレート２０上に立ち上がるよう溶接して固着され且つ円筒をその周方向へ複数分割して更に上下（円筒の軸線方向）に分割した下側の湾曲板状の脚部スカート下部部材２１と、該脚部スカート下部部材２１の内周面下部に周方向へ延び且つ両端部が脚部スカート下部部材２１の両端より所要量だけ内側に引っ込むよう溶接して固着された下部補強内枠部材２２とを備えてなる構成を有しており、前記脚部スカート下部部材２１の上端部は、前記当板１５を介して脚部スカート上部ブロック１２の脚部スカート上部部材１３下端部に溶接して連結固着させ、又、前記下部補強内枠部材２２の両端部は、前記下部補強内枠部材１０の両端部に溶接して連結固着させ、補強用のリングを形成するようにしてある。尚、前記脚部ベースプレート２０における両端部は脚部スカート下部部材２１の両端より所要量だけ内側に引っ込ませるようにしてある。
【００２２】
又、容器本体３の下に配管等が設置されており、該配管等と前記脚間部スカートブロック６とが干渉するような場合には、図７〜図９に示す脚間部スカートブロック６の代わりに、例えば、図１３〜図１５に示すような脚間部スカートブロック６´を用いれば良い。即ち、前記脚間部スカートブロック６´は、前記配管等と対応する箇所に切欠部２３を形成して、その内縁部に補強を兼ねる逆Ｕ字状のノズルスリーブ２４を取り付けると共に、脚間部ベースプレート７の前記切欠部２３と対応する箇所を分割ベースプレート７ａとするよう構成し、これらの点以外は、前記脚間部スカートブロック６と同様の構成とする。そして、前記脚間部スカートブロック６´を設置する際には、前記分割ベースプレート７ａを脚間部ベースプレート７から分離し取り付けていない状態で、切欠部２３のノズルスリーブ２４を配管等（図示せず）にかぶせるようにして、脚間部スカートブロック６´の脚間部ベースプレート７を脚間部スカート基礎台５（図２参照）上に設置しつつ、該脚間部スカート基礎台５上に分割ベースプレート７ａを設置し、該分割ベースプレート７ａを前記脚間部ベースプレート７に溶接して固着させた後、該分割ベースプレート７ａが一体化された脚間部ベースプレート７をアンカーボルト及びナット（図示せず）等により固定すると共に、該脚間部スカートブロック６の上部を容器本体３に溶接して固着させれば、前記配管等をかわすことが可能となる。
【００２３】
前述の如く、容器４を支持脚２による支持からスカート１９による支持へ改造すると、原子力発電設備等のプラントのように、コンクリートの壁で囲まれた狭いスペースに容器４が設置されている場合、その周囲や天井部に配置されている多数の配管や機器等を一時撤去したり、コンクリートの壁を壊すことが困難だったとしても、従来工法のように、容器４内に貯留された内容物を一旦排出し、容器４の周囲に設置されている配管や機器等を一時撤去しなくて済み、容器４を吊り上げたり、移動させたりする必要も全くなくなる。
【００２４】
しかも、スカート１９は、脚間部スカートブロック６や脚間部スカートブロック６´と、脚部スカート上部ブロック１２及び脚部スカート下部ブロック１８とに分割し、それぞれ上部補強内枠部材９及び下部補強内枠部材１０と、上部補強内枠部材１４及び下部補強内枠部材２２とを設けてあるため、搬入から取り付けに至るまでの変形が抑えられ、据付精度の向上にも大きく寄与している。又、脚間部スカートブロック６や脚間部スカートブロック６´の下部補強内枠部材１０における両端部を脚間部スカート部材８の両端より所要量だけ側方へ張り出させ、且つそれと隣接する脚部スカート下部ブロック１８の下部補強内枠部材２２における両端部を脚部スカート下部部材２１の両端より所要量だけ内側に引っ込ませ、同様に、脚間部スカートブロック６や脚間部スカートブロック６´の脚間部ベースプレート７における両端部を脚間部スカート部材８の両端より所要量だけ側方へ張り出させ、且つ脚部スカート下部ブロック１８の脚部ベースプレート２０における両端部を脚部スカート下部部材２１の両端より所要量だけ内側に引っ込ませるようにしてあるため、脚間部スカートブロック６や脚間部スカートブロック６´に対し、脚部スカート上部ブロック１２及び脚部スカート下部ブロック１８を組み付ける際、脚間部スカート部材８と脚部スカート上部部材１３及び脚部スカート下部部材２１との接合位置に対して、下部補強内枠部材１０と下部補強内枠部材２２との接合位置、並びに脚間部ベースプレート７と脚部ベースプレート２０との接合位置がスカート１９の周方向へずれて、互いに嵌め込まれるような形となるため、組付作業性も良好となる。
【００２５】
こうして、多数の配管や機器等の干渉物の一時撤去・復旧、並びに吊り上げのための容器４の補強等を行うことなく、容器４を支持脚２による支持からスカート１９による支持へ改造し得、費用削減と工期短縮とを図り得る。
【００２６】
尚、本発明の容器の支持構造改造方法は、上述の図示例にのみ限定されるものではなく、本発明の要旨を逸脱しない範囲内において種々変更を加え得ることは勿論である。
【図面の簡単な説明】
【００２７】
【図１】本発明を実施する形態の一例における第一の手順を示す側面図及び平面図である。
【図２】本発明を実施する形態の一例における第二の手順を示す側面図及び平面図である。
【図３】本発明を実施する形態の一例における第三の手順を示す側面図及び平面図である。
【図４】本発明を実施する形態の一例における第四の手順を示す側面図及び平面図である。
【図５】本発明を実施する形態の一例における第五の手順を示す側面図及び平面図である。
【図６】本発明を実施する形態の一例における第六の手順を示す側面図及び平面図である。
【図７】本発明を実施する形態の一例における脚間部スカートブロックを示す平面図である。
【図８】本発明を実施する形態の一例における脚間部スカートブロックを示す正面図であって、図７のＶＩＩＩ−ＶＩＩＩ矢視相当図である。
【図９】本発明を実施する形態の一例における脚間部スカートブロックを示す側断面図であって、図８のＩＸ−ＩＸ断面相当図である。
【図１０】本発明を実施する形態の一例における脚部スカート上部ブロック及び脚部スカート下部ブロックからなる脚部スカートブロックを示す平面図である。
【図１１】本発明を実施する形態の一例における脚部スカート上部ブロック及び脚部スカート下部ブロックからなる脚部スカートブロックを示す正面図であって、図１０のＸＩ−ＸＩ矢視相当図である。
【図１２】本発明を実施する形態の一例における脚部スカート上部ブロック及び脚部スカート下部ブロックからなる脚部スカートブロックを示す側断面図であって、図１１のＸＩＩ−ＸＩＩ断面相当図である。
【図１３】本発明を実施する形態の一例におけるノズルスリーブ付スカートブロックを示す平面図である。
【図１４】本発明を実施する形態の一例におけるノズルスリーブ付スカートブロックを示す正面図であって、図１３のＸＩＶ−ＸＩＶ矢視相当図である。
【図１５】本発明を実施する形態の一例におけるノズルスリーブ付スカートブロックを示す側断面図であって、図１４のＸＶ−ＸＶ断面相当図である。
【符号の説明】
【００２８】
１    支持脚基礎台
２    支持脚
３    容器本体
４    容器
５    脚間部スカート基礎台
６    脚間部スカートブロック
７    脚間部ベースプレート
８    脚間部スカート部材
９    上部補強内枠部材（補強内枠部材）
１０    下部補強内枠部材（補強内枠部材）
１２    脚部スカート上部ブロック
１３    脚部スカート上部部材
１４    上部補強内枠部材（補強内枠部材）
１６    脚部スカート基礎台
１７    スカート基礎台
１８    脚部スカート下部ブロック
１９    スカート
２０    脚部ベースプレート
２１    脚部スカート下部部材
２２    下部補強内枠部材（補強内枠部材）
【図１】
0004779765.tif 000002
【図２】
0004779765.tif 000003
【図３】
0004779765.tif 000004
【図４】
0004779765.tif 000005
【図５】
0004779765.tif 000006
【図６】
0004779765.tif 000007
【図７】
0004779765.tif 000008
【図８】
0004779765.tif 000009
【図９】
0004779765.tif 000010
【図１０】
0004779765.tif 000011
【図１１】
0004779765.tif 000012
【図１２】
0004779765.tif 000013
【図１３】
0004779765.tif 000014
【図１４】
0004779765.tif 000015
【図１５】
0004779765.tif 000016